(57)【要約】【課題】受話部と送話部が別個の筐体に配置され、これらの筐体の位置関係が可変な構造（例えば、スライド式や、折り畳み式など）の携帯電話機において、受話部と送話部の位置関係（例えば、スライド量や、折り畳み角度など）に応じて送話部のマイク感度を可変することができる携帯電話機を提供することを目的とする。【解決手段】受話部と送話部が別個の筐体に配置され、これらの筐体の位置関係が可変な構造の携帯電話機であって、受話部を備える筐体と、送話部を備える筐体との位置関係の情報を検出する位置関係情報検出手段と、前記位置関係情報検出手段により取得される位置関係情報を基に、前記送話部の感度を調整する送話部感度調整手段とを備える。【選択図】    図３
2004350118.tif 000002
【特許請求の範囲】
【請求項１】
受話部と送話部が別個の筐体に配置され、これらの筐体の位置関係が可変な構造の携帯電話機であって、
受話部を備える筐体と、送話部を備える筐体との位置関係の情報を検出する位置関係情報検出手段と、
前記位置関係情報検出手段により取得される位置関係情報を基に、前記送話部の感度を調整する送話部感度調整手段と
を備えることを特徴とする携帯電話機。
【請求項２】
受話部を備える筐体と、送話部を備える筐体とが、スライドして重なる構造を有すること
を特徴とする請求項１に記載の携帯電話機。
【請求項３】
前記スライド量に応じて適宜調整されることを特徴とする請求項２に記載の携帯電話機。
【請求項４】
受話部を備える筐体と送話部を備える筐体との位置関係の情報を抵抗体の抵抗値の変化により検出する手段を
備えることを特徴とする請求項１ないし請求項３のいずれかに記載の携帯電話機。
【発明の詳細な説明】
【０００１】
【発明の属する技術分野】
本発明は、複数の筐体によって構成される携帯電話機に関し、特に、受話部と送話部が別個の筐体に配置され、これらの筐体の位置関係が可変な構造（例えば、スライド式や、折り畳み式など）の携帯電話機について、受話部と送話部の位置関係（例えば、スライド量や、折り畳み角度など）に応じて送話部のマイク（マイクロフォン）感度を可変することができる携帯電話機に関するものである。
【０００２】
【従来の技術】
通常の携帯電話機では、通話時に送話部と受話部の位置関係が固定されているために、マイク感度を変更する必要はない。しかしながら、例えば、複数の筐体をスライドさせる携帯電話機（以下、「スライド電話機」ともいう）であって、筐体のスライド位置に関係なく通話することができるスライド電話機においては、受話部と送話部が同一の筐体内にない場合、受話部と送話部の位置関係は筐体のスライド量に応じて変化することになる。
【０００３】
この場合、受話部と耳の位置は常に同じ位置にあることから、筐体のスライド量に応じて送話部と利用者の口元との位置関係が変わってしまう。このような場合は、スライドさせた送話部の位置によって送話者の入力音量が変わるため、結果として相手側の受話音量に影響する。
【０００４】
特に、会話中に送話部のスライド量を変化させた場合、受話者の受話ボリュームに関係なく音量が変化し、聞き取りづらくなると同時に、送話者はそのことに気づかないため、スムーズに会話できない場合がある。
【０００５】
なお、スライド式の携帯電話機におけるマイクの送話感度の問題については、いくつかの先行技術が開示されている。例えば、図６（ａ）に示すような、スピーカ５０１を備えた本体部５０２と、マイク５０３を備えた送話部５０４を、連結棒５０５を介して接続し、送話部５０４を本体部５０２の長手方向に移動可能とした携帯無線機においては、送話部５０４を連結棒５０５の軸回りに回転可能とし、使用者の口に対して、マイク５０３を適正な位置に保ち、マイク感度の低下を防いでいる。
【０００６】
また、図６（ｂ）に示す携帯機器においては、スピーカ５１１を備えた上部ユニット５１２と、マイク５１３を備えた下部ユニット５１４とがスライドバー（握り部材）５１５で連結されており、上部ユニット５１２と下部ユニット５１４は、それぞれスライドバー５１５の上半分および下半分を格納可能に構成されている。そして、スライドバー５１５が格納されているかいないかを検出するスイッチ（図示せず）を設け、このスイッチのＯＮ、ＯＦＦ状態に応じてマイク５１３の感度を調整している。
【０００７】
【発明が解決しようとする課題】
しかしながら、図６（ａ）に示す携帯無線機では、送話者の利用状態に応じて、送話部５０４の位置を変えることはできるが、マイク５０３自身の感度は固定であるため、利用者は利用時に送話部５０４を毎回最適な位置に調整する必要がある。また、利用者が最適な位置に送話部５０４を固定した場合であっても、受話側の音を聞くことができないために、本当に最適な位置に設定できているかを判断することができない。また送話部５０４の位置を最適に設定すると、それ以上は送話部５０４を動かすことがないので、マイク５０３と本体部５０２のスピーカ５０１と位置関係が、固定されている場合となんら変わらない。
【０００８】
また、図６（ｂ）に示す携帯機器では、スライドバー５１５の収納状態をスイッチによりＯＮ／ＯＦＦ検出して、マイク感度の切替を行うだけであり、スライドバー５１５のスライド量に応じた最適なマイク感度の調整を行うことができない。
【０００９】
本発明はこのような問題を解決するためになされたもので、その目的は、受話部と送話部が別個の筐体に配置され、これらの筐体の位置関係が可変な構造（例えば、スライド式や、折り畳み式など）を有する携帯電話機において、受話部と送話部の位置関係（例えば、スライド量や、折り畳み角度など）に応じて送話部のマイク感度を適宜可変することができる携帯電話機を提供することにある。
【００１０】
【特許文献１】
特開平８−４７０３７号公報
【００１１】
【課題を解決するための手段】
本発明は上記課題を解決するためになされたものであり、本発明の携帯電話機は、受話部と送話部が別個の筐体に配置され、これらの筐体の位置関係が可変な構造の携帯電話機であって、受話部を備える筐体と、送話部を備える筐体との位置関係の情報を検出する位置関係情報検出手段と、前記位置関係情報検出手段により取得される位置関係情報を基に、前記送話部の感度を調整する送話部感度調整手段とを備えることを特徴とする。
これにより、送話部と受話部の位置関係が可変な構造の携帯電話機において、常に最適な送話レベルで通話することができる。また、利用者が筐体の位置関係（送話部と受話部の位置関係）を意識する必要がなく、また調整の必要もない。また、マイク感度を可変にすることで、筐体の位置関係に関係なくマイクの集音量を一定に保つことができる。
【００１２】
また、本発明の携帯電話機は、受話部を備える筐体と、送話部を備える筐体とが、スライドして重なる構造を有すること、さらには、スライド量に応じて感度を適宜調整することを特徴とする。
これにより、スライド式の携帯電話機において、常に最適な送話レベルで通話することができる。また、利用者が筐体の位置関係（スライド量など）を意識する必要がなく、また調整の必要もない。また、マイク感度の可変にすることで、筐体の位置関係（スライド量など）に関係なくマイクの集音量を一定に保つことができる。
【００１３】
また、本発明の携帯電話機は、受話部を備える筐体と送話部を備える筐体との位置関係の情報を、抵抗体の抵抗値の変化により検出する手段を備えることを特徴とする。
これにより、受話部の筐体と送話部の筐体との位置関係を、容易かつ低コストで検出できる。
【００１４】
【発明の実施の形態】
次に本発明の実施の形態例について図面を参照して説明する。
図１は、本発明による携帯電話機の筐体の構成例を示す図であり、図１（ａ）は、携帯電話機における送話部と受話部の位置関係を示した図である。図１（ａ）において、１０１は受話部（スピーカなど）１０５を備えた上面の筐体であり、１０２は送話部（マイクなど）１０３を備えた下面の筐体であり、上面の筐体１０１と下面の筐体１０２とがスライドして開かれた状態を示している。なお、１０４はキー操作部であり、１０６は液晶表示部である。
【００１５】
また、図１（ｂ）は、図１（ａ）に示す構成の筐体で、筐体をスライドして閉じた状態を示しており、図（ａ）、図１（ｂ）のどちらの状態であっても通話が可能なように構成されている。
【００１６】
図２は、筐体がさらに分割され、３つの筐体で構成された携帯電話機における送話部と受話部の位置関係を示した図である。
図２（ａ）は、携帯電話機を上側の筐体２０１と、中側の筐体２０２と、下側の筐体２０３の３層構造で構成した例を示しており、下側の筐体２０３に送話部２０６が配置され、中側の筐体２０２にキー操作部２０４が配置され、上側の筐体２０１に受話部２０５が配置された例である。
【００１７】
図２（ｂ）は、受話部２１５を配置した筐体２１１と、送話部２１６を配置した筐体２１３を、キー操作部２１４を配置した筐体２１２の上面でスライドできるようにした構成例を示している。
【００１８】
図３は、本発明による携帯電話機において、マイク感度（送話部の感度）を可変にする回路構成ブロック図を示している。図３において、３０１はマイク（マイクロフォン）を示し、３０２は筐体のスライド量を検出するスライド量検出部を示している。３０３はマイク感度の調整部であり、スライド量検出部３０２で検出したスライド量に応じてマイク感度を可変にできるようにしている。３０４は送話ゲイン調整部（例えば、携帯電話機のボリューム）を示しており、秘匿会話時などに用いる。３０５は送信ブロックでありマイク３０１から入力された音声信号を無線電波で送信する処理を行う。
【００１９】
また、図４は、携帯電話機の他の回路構成ブロック図を示しており、図４において、３０６はマイク（マイクロフォン）を示し、３０７は筐体のスライド量を検出するスライド量検出部を示している。３０８はマイク感度の調整部を示し、スライド量に応じてマイク感度を可変にする。３０９は送話ゲイン調整部（例えば、携帯電話機のボリューム）を示しており、秘匿会話時などに用いる。３１０は送信ブロックであり、マイク３０６から入力された音声信号を無線電波で送信する処理を行う。
【００２０】
３１２は受信ブロックであり、無線電波で受信したデータを音声に変換する処理を行う。３１３は受話ボリュームであり受話音量の調整に用いる。３１４はスピーカを示している。３１１はバランス調整部であり、マイク感度とスピーカの受話音量からハウリングといった不具合が発生しないようにループゲインを調整している。
【００２１】
図５は、スライド量の検出方法の例を示す図である。図５（ａ）は筐体４０１と筐体４０２の間にスライドボリュームとして機能する抵抗体（または半導体）スリット４０３ａ及び４０３ｂを設け、筐体４０１と筐体４０２がスライド（移動）した距離に応じて、抵抗体スリット４０３ａ及び４０３ｂの抵抗値が変わることでスライド量を検出する。なお、抵抗体スリット４０３ａ及び４０３ｂはいずれか一方を使用する構成でもよい。
【００２２】
図５（ｂ）に示すスライド量の検出方法では、筐体４１１と筐体４１２をスライドさせる際に、キートップ４１３が圧力センサー４１４を押すことでスライド量を検出している。この場合、圧力センサー４１４のＯＮ／ＯＦＦ信号をカウントしても良いし、圧力センサー４１４を複数配置し、それらのＯＮ／ＯＦＦ状態を監視して検出してもよい。また、圧力センサー４１４がＯＮ／ＯＦＦする時間を検出しても良い。
【００２３】
図５（ｃ）に示すスライド量の検出方法では、キートップ４２４を透過したキーＬＥＤ４２３の光を、フォトセンサー４２５で検出し、筐体４２１と筐体４２２のスライド量を検出する。この場合、フォトセンサー４２５のＯＮ／ＯＦＦ信号を検出してもよいし、フォトセンサー４２５を複数個配置し、それらのＯＮ／ＯＦＦの状態を監視して検出してもよい。また、波長の違うキーＬＥＤ４２３を用いて波長の違いにより、筐体４２１と筐体４２２のスライド量を検出してもよい。また、フォトセンサー４２５がＯＮ／ＯＦＦする時間で検出してもよい。
【００２４】
図５（ｄ）に示すスライド量の検出方法では、筐体４３１に複数のスリット４３３を設け、このスリット４３３を透過した光を、フォトセンサー４３４が感知し、筐体４３１と筐体４３２のスライド量を検出する。この場合、フォトセンサー４３４のＯＮ／ＯＦＦ信号をカウントして検出しても良いし、複数のフォトセンサー４３４を配置し、それらのＯＮ／ＯＦＦの状態から検出してもよい。また、フォトセンサー４３４がＯＮ／ＯＦＦする時間で検出してもよい。
【００２５】
また、その他の検出方法として、スライドする各筐体に金属板を張り付け、この金属板を対向させ、その静電容量を測定してスライド量を検出することもできる。また、一方の筐体に磁性体を埋め込み、他方の筐体に磁気センサーを設けて、スライド量を検出することもできる。
【００２６】
以上、本発明の実施の形態として、スライド式の携帯電話機の例について説明したが、本発明の携帯電話機はこれに限らず、例えば、折り畳み式の携帯電話機など、受話部と送話部の位置関係が可変となる全ての携帯電話機に適用されるものである。
【００２７】
以上、本発明の実施の形態について説明したが、本発明の携帯電話機は、上述の図示例にのみ限定されるものではなく、本発明の要旨を逸脱しない範囲内において種々変更を加え得ることは勿論である。
【００２８】
【発明の効果】
以上説明したように本発明の携帯電話機においては、受話部の筐体と、送話部の筐体の位置関係を検出し、該位置関係に応じて、送話部の感度が最適になる調整とする。
これにより、送話部と受話部の位置関係が可変な構造を有する携帯電話機において、常に最適な送話レベルで通話することができる。また、利用者が筐体の位置関係（送話部と受話部の位置関係）を意識する必要がなく、また調整の必要もない。また、送話部（マイク）の感度を可変にすることで、筐体の位置関係に関係なくマイクの集音量を一定に保つことができる。
【００２９】
また、本発明の携帯電話機においては、受話部を備える筐体と、送話部を備える筐体とが、スライドして重なる構造を有し、さらには、スライド量に応じて感度を適宜調整する。
これにより、スライド式の携帯電話機において、常に最適な送話レベルで通話することができる。また、利用者が筐体の位置関係（スライド量など）を意識する必要がなく、また調整の必要もない。また、マイク感度を可変にすることで、筐体の位置関係に関係なくマイクの集音量を一定に保つことができる。
【００３０】
また、本発明の携帯電話機においては、受話部を備える筐体と、送話部を備える筐体との位置関係の情報を、抵抗体の抵抗値の変化により検出する。
これにより、受話部の筐体と送話部の筐体との位置関係を、容易かつ低コストで検出できる。
【図面の簡単な説明】
【図１】本発明による携帯電話機の筐体の構成例を示す図である。
【図２】３つの筐体で構成された携帯電話機における送話部と受話部の位置関係を示した図である。
【図３】マイク感度を可変する携帯電話機の回路構成ブロック図である。
【図４】携帯電話機の他の回路構成ブロック図である。
【図５】スライド量の検出方法の例を示す図である。
【図６】従来のスライド式の携帯電話機の例を示す図である。
【符号の説明】
１０１、１０２、２０１、２０２、２０３、２１１、２１２、２１３  筐体
１０３、２０６、２１６  送話部
１０５、２０５、２１５  受話部
３０１、３０６  マイク
３０２、３０７  スライド量検出部
３０３、３０８  マイク感度調整部
３０４、３０９  送話ゲイン調整部
３０５、３１０  送信ブロック
３１１  バランス調整部
３１２  受信ブロック
３１３  受話ボリューム
４０１、４０２、４１１、４１２、４２１、４２２、４３１、４３２  筐体
４０３ａ、４０３ｂ  抵抗体スリット
４１３、４２４  キートップ
４１４  圧力センサー
４２３  キーＬＥＤ
４２５、４３４  フォトセンサー
【図１】
2004350118.tif 000003
【図２】
2004350118.tif 000004
【図３】
2004350118.tif 000005
【図４】
2004350118.tif 000006
【図５】
2004350118.tif 000007
【図６】
2004350118.tif 000008